(57)【要約】【課題】躯体へ壁パネルを取り付ける際の作業効率を向上させることが可能な、取付けブラケット、壁パネルの取付け構造及び壁パネルの取付け方法を提供する。【解決手段】壁パネル４の裏面に当接して取り付けられる壁パネル取付け部１２と、壁パネル取付け部１２に対して壁パネル４の厚さ方向へオフセットして配置されるとともに、躯体２に当接して取り付けられる躯体取付け部１４を備えた取付けブラケット１であって、壁パネル取付け部１２に、壁パネル４を取り付けるための壁パネル側取付け孔１８を形成し、躯体取付け部１４の少なくとも一部に、壁パネル４の端部２４から張り出した張出し部２２を形成し、張出し部２２における壁パネル４の表面側から見て視認可能な位置に、躯体２へ取り付けるための躯体側取付け孔２６を形成する。【選択図】図２
2010180668.tif 000002
【特許請求の範囲】
【請求項１】
建築物の躯体に壁パネルを取り付ける取付けブラケットであって、
前記壁パネルの裏面に当接して取り付けられる壁パネル取付け部と、当該壁パネル取付け部に対して前記壁パネルの厚さ方向へオフセットして配置されるとともに前記躯体に当接して取り付けられる躯体取付け部と、を備え、
前記壁パネル取付け部に、前記壁パネルを取り付けるための壁パネル側取付け孔を形成し、
前記躯体取付け部の少なくとも一部を、前記壁パネルの端部から張り出した張出し部とし、
前記張出し部における前記壁パネルの表面側から見て視認可能な位置に、前記躯体へ取り付けるための躯体側取付け孔を形成したことを特徴とする取付けブラケット。
【請求項２】
平板を屈曲成形して前記壁パネル取付け部及び前記躯体取付け部を形成したことを特徴とする請求項１に記載した取付けブラケット。
【請求項３】
取付けブラケットを、前記壁パネルの表面側から見てＬ字形状に形成し、
前記壁パネルの端部と平行な前記張出し部の寸法長さを、前記壁パネルの端部と平行な前記壁パネル取付け部の寸法長さよりも短くしたことを特徴とする請求項２に記載した取付けブラケット。
【請求項４】
前記壁パネル取付け部及び前記躯体取付け部のうち少なくとも一方の曲げ変形を抑制する曲げ変形抑制部を備え、
前記曲げ変形抑制部は、前記平板の一部を厚さ方向に突出するように成形して形成したことを特徴とする請求項２または３に記載した取付けブラケット。
【請求項５】
前記壁パネル側取付け孔及び前記躯体側取付け孔のうち少なくとも一方は、前記壁パネルの上下方向または左右方向へ延在する長孔形状に形成されていることを特徴とする請求項２から４のうちいずれか１項に記載した取付けブラケット。
【請求項６】
前記壁パネル側取付け孔及び前記躯体側取付け孔のうち少なくとも一方は、複数形成されていることを特徴とする請求項２から５のうちいずれか１項に記載した取付けブラケット。
【請求項７】
前記躯体側取付け孔を、前記躯体取付け部のうち前記躯体に当接する部分よりも前記壁パネルの表面側にオフセットして配置したことを特徴とする請求項２から６のうちいずれか１項に記載した取付けブラケット。
【請求項８】
隣り合う前記壁パネルの裏面にそれぞれ取り付けられる二つの前記壁パネル取付け部と、これら二つの壁パネル取付け部の間に配置される一つの前記躯体取付け部と、を備えたことを特徴とする請求項２から７のうちいずれか１項に記載した取付けブラケット。
【請求項９】
請求項１から８のうちいずれか１項に記載した取付けブラケットを用いて躯体に複数の壁パネルを取り付ける壁パネルの取付け構造であって、
隣り合う前記壁パネルにそれぞれ取り付けられた二つの前記取付けブラケットを、これらの取付けブラケットの前記張出し部に形成された前記躯体側取付け孔同士が前記端部の長さ方向から見て互いに重なり、且つ前記躯体側取付け孔同士の間隔が所定の間隔以上となるように配置したことを特徴とする壁パネルの取付け構造。
【請求項１０】
請求項１から８のうちいずれか１項に記載した取付けブラケットを用いて躯体に壁パネルを取り付ける壁パネルの取付け方法であって、
前記壁パネル取付け部に前記壁パネルを取り付けた後、前記躯体取付け部を前記躯体に取り付けることを特徴とする壁パネルの取付け方法。
【発明の詳細な説明】
【技術分野】
【０００１】
本発明は、例えば、住宅の外壁等、建築物の躯体に壁パネルを取り付ける取付けブラケット、壁パネルの取付け構造及び壁パネルの取付け方法に関する。
【背景技術】
【０００２】
従来から、住宅の外壁等、建築物の躯体に壁パネルを取り付ける際には、例えば、特許文献１に記載されているような取付けブラケットが用いられている。
特許文献１に記載されている取付けブラケットは、図１４及び図１５に示すように、第一取付け部材４４と、第二取付け部材４６と、締結手段４８とを備えている。なお、図１４は、従来例の取付けブラケットを用いて躯体に壁パネルを取り付けた状態を示す図であり、図１５は、図１４のＡ−Ａ線断面図である。
第一取付け部材４４は、壁パネル４の厚さ方向に延在する板状部材であり、壁パネル４の枠側面５０と平行に配置されている。第一取付け部材４４の一方の端部は、壁パネル４の枠側面５０に回転自在に取り付けられている。第一取付け部材４４の壁パネル４の厚さ方向に沿った長さは、壁パネル４と躯体２との間に、例えば、グラスウール等の断熱材を配置するための隙間２０が形成される長さとなっている。
【０００３】
第二取付け部材４６は、外壁面に沿って延在する板状部材であり、第一取付け部材４４と同様、壁パネル４の枠側面５０と平行に配置されている。第二取付け部材４６の一方の端部は、躯体２側に固定されている。
締結手段４８は、ボルト８及びナット１０から形成されており、第一取付け部材４４の他方の端部と第二取付け部材４６の他方の端部とを接合している。
このような構成の取付けブラケットであれば、第一取付け部材４４を壁パネル４に取付ける際に、ウレタンボード等の内装面材を切り欠く必要がないため、構成が簡素化され、施工コストを低減させることが可能となっている。
【先行技術文献】
【特許文献】
【０００４】
【特許文献１】特開２００６−９７４３５号公報
【発明の概要】
【発明が解決しようとする課題】
【０００５】
しかしながら、特許文献１に記載されている取付けブラケットでは、第一取付け部材及び第二取付け部材が、壁パネルの枠側面と平行に配置されている。
このため、第一取付け部材と第二取付け部材とを接合する際には、壁パネルと躯体との間に形成された隙間内で、ボルトとナットを嵌合させる作業を行う必要があり、作業効率が低下してしまうおそれがある。
本発明は、上述したような問題点に着目してなされたもので、躯体へ壁パネルを取り付ける際の作業効率を向上させることが可能な、取付けブラケット、壁パネルの取付け構造及び壁パネルの取付け方法を提供することを課題とする。
【課題を解決するための手段】
【０００６】
前記課題を解決するために、本発明のうち、請求項１に記載した発明は、建築物の躯体に壁パネルを取り付ける取付けブラケットであって、
前記壁パネルの裏面に当接して取り付けられる壁パネル取付け部と、当該壁パネル取付け部に対して前記壁パネルの厚さ方向へオフセットして配置されるとともに前記躯体に当接して取り付けられる躯体取付け部と、を備え、
前記壁パネル取付け部に、前記壁パネルを取り付けるための壁パネル側取付け孔を形成し、
前記躯体取付け部の少なくとも一部を、前記壁パネルの端部から張り出した張出し部とし、
前記張出し部における前記壁パネルの表面側から見て視認可能な位置に、前記躯体へ取り付けるための躯体側取付け孔を形成したことを特徴とするものである。
【０００７】
本発明によると、躯体取付け部に設定した張出し部における、壁パネルの表面側から見て視認可能な位置に、壁パネルを躯体へ取り付けるための躯体側取付け孔を形成している。なお、上記の「躯体」とは、例えば、住宅の外壁等を形成する外部躯体や、住宅の内壁等を形成する内部躯体である。また、上記の「壁パネル」とは、例えば、住宅の外壁等を形成する外部躯体に取り付ける外壁パネルや、住宅の内壁等を形成する内部躯体に取り付ける内壁パネルである。
このため、躯体取付け部を躯体へ取付ける際に躯体側取付け孔に挿通するビス等の固定部品を、壁パネルの表面側から躯体側取付け孔へ挿通することが可能となる。
【０００８】
次に、請求項２に記載した発明は、請求項１に記載した発明であって、平板を屈曲成形して前記壁パネル取付け部及び前記躯体取付け部を形成したことを特徴とするものである。
本発明によると、壁パネル取付け部及び躯体取付け部を、平板を屈曲成形して形成しているため、取付けブラケットの成形が容易かつ安価となる。なお、取付けブラケットは、躯体よりも外側、すなわち、防水面よりも外側に配置されるため、平板の材料としては、ステンレスを用いることが好適である。
【０００９】
次に、請求項３に記載した発明は、請求項２に記載した発明であって、取付けブラケットを、前記壁パネルの表面側から見てＬ字形状に形成し、
前記壁パネルの端部と平行な前記張出し部の寸法長さを、前記壁パネルの端部と平行な前記壁パネル取付け部の寸法長さよりも短くしたことを特徴とするものである。
本発明によると、取付けブラケットを、壁パネルの表面側から見てＬ字形状に形成しているとともに、壁パネルの端部と平行な張出し部の寸法長さを、壁パネルの端部と平行な壁パネル取付け部の寸法長さよりも短くしている。
このため、隣り合う壁パネルを躯体へ取り付ける際に、一方の取付けブラケットに形成された張出し部を、隣り合う壁パネルの配列方向から見て、他方の取付けブラケットに形成された壁パネル取付け部と、互いに重なった状態で配置することが可能となる。
【００１０】
次に、請求項４に記載した発明は、請求項２または３に記載した発明であって、前記壁パネル取付け部及び前記躯体取付け部のうち少なくとも一方の曲げ変形を抑制する曲げ変形抑制部を備え、
前記曲げ変形抑制部は、前記平板の一部を厚さ方向に突出するように成形して形成したことを特徴とするものである。
本発明によると、取付けブラケットが、壁パネル取付け部及び躯体取付け部のうち少なくとも一方の曲げ変形を抑制する曲げ変形抑制部を備えているため、躯体への壁パネルの取付け状態を安定させることが可能となる。
また、本発明によると、曲げ変形抑制部を、平板の一部を厚さ方向に突出するように成形して形成しているため、曲げ変形抑制部を容易に形成することが可能となる。
【００１１】
次に、請求項５に記載した発明は、請求項２から４のうちいずれか１項に記載した発明であって、前記壁パネル側取付け孔及び前記躯体側取付け孔のうち少なくとも一方は、前記壁パネルの上下方向または左右方向へ延在する長孔形状に形成されていることを特徴とするものである。
本発明によると、壁パネル側取付け孔及び躯体側取付け孔のうち少なくとも一方を、壁パネルの上下方向または左右方向へ延在する長孔形状に形成している。
このため、壁パネル側取付け孔と壁パネルとの間や、躯体側取付け孔と躯体との間に、壁パネルの上下方向または左右方向への取付け精度のずれが発生しても、このずれを吸収することが可能となる。
【００１２】
次に、請求項６に記載した発明は、請求項２から５のうちいずれか１項に記載した発明であって、前記壁パネル側取付け孔及び前記躯体側取付け孔のうち少なくとも一方は、複数形成されていることを特徴とするものである。
本発明によると、壁パネル側取付け孔及び躯体側取付け孔のうち少なくとも一方を、複数形成している。
このため、壁パネル側取付け孔を複数形成している場合、複数形成した壁パネル側取付け孔の両方を用いて、壁パネル取付け部に壁パネルを取付けることにより、壁パネル取付け部と壁パネルとの相対回転を防止することが可能となる。
【００１３】
また、本発明によると、壁パネル側取付け孔及び躯体側取付け孔のうち少なくとも一方を、複数形成している。
このため、躯体側取付け孔を複数形成している場合、躯体と取付けブラケットとの取付け状態が好適ではない場合等に、未使用の躯体側取付け孔を用いて、取付けブラケットを躯体へ取付けることが可能となる。
【００１４】
次に、請求項７に記載した発明は、請求項２から６のうちいずれか１項に記載した発明であって、前記躯体側取付け孔を、前記躯体取付け部のうち前記躯体に当接する部分よりも前記壁パネルの表面側にオフセットして配置したことを特徴とするものである。
本発明によると、躯体側取付け孔を、躯体取付け部のうち躯体に当接する部分よりも、壁パネルの表面側にオフセットして配置している。
このため、躯体側取付け孔が、躯体取付け部のうち躯体に当接する部分に配置されている場合と比較して、躯体側取付け孔に挿通されるビス等の固定部品を用いた作業が容易となり、取付けブラケットの躯体への取付け作業が容易となる。
【００１５】
次に、請求項８に記載した発明は、請求項２から７のうちいずれか１項に記載した発明であって、隣り合う前記壁パネルの裏面にそれぞれ取り付けられる二つの前記壁パネル取付け部と、これら二つの壁パネル取付け部の間に配置される一つの前記躯体取付け部と、を備えたことを特徴とするものである。
本発明によると、取付けブラケットが、隣り合う壁パネルにそれぞれ取り付けられる二つの壁パネル取付け部と、これら二つの壁パネル取付け部の間に配置される一つの躯体取付け部とを備えている。
このため、一つの取付けブラケットによって、二つの壁パネルを躯体へ取付けることが可能となる。
【００１６】
次に、請求項９に記載した発明は、請求項１から８のうちいずれか１項に記載した取付けブラケットを用いて躯体に複数の壁パネルを取り付ける壁パネルの取付け構造であって、
隣り合う前記壁パネルにそれぞれ取り付けられた二つの前記取付けブラケットを、これらの取付けブラケットの前記張出し部に形成された前記躯体側取付け孔同士が前記端部の長さ方向から見て互いに重なり、且つ前記躯体側取付け孔同士の間隔が所定の間隔以上となるように配置したことを特徴とするものである。
本発明によると、隣り合う壁パネルにそれぞれ取り付けられた取付けブラケットに形成された躯体側取付け孔同士が、壁パネルの端部の長さ方向から見て互いに重なり、且つ互いの間隔が所定の間隔以上となるように配置されている。
【００１７】
このため、躯体側取付け孔に挿通されるビス等の固定部品同士の間隔が、所定の間隔以上となり、ビス等の固定部品が躯体から外れることを防止することが可能となるため、躯体から取付けブラケットが外れることを防止することが可能となる。
なお、「所定の間隔」とは、例えば、壁パネルの端部の長さ方向から見て互いに重なるように配置された躯体側取付け孔に、それぞれ挿通されるビス等の固定部品によって、躯体に損傷が生じてビス等の固定部品が躯体から外れることの無い間隔である。
【００１８】
次に、請求項１０に記載した発明は、請求項１から８のうちいずれか１項に記載した取付けブラケットを用いて躯体に壁パネルを取り付ける壁パネルの取付け方法であって、
前記壁パネル取付け部に前記壁パネルを取り付けた後、前記躯体取付け部を前記躯体に取り付けることを特徴とするものである。
本発明によると、取付けブラケットを用いて躯体に壁パネルを取り付ける際に、壁パネル取付け部に壁パネルを取り付けた後、躯体取付け部を躯体に取り付けている。
このため、壁パネル取付け部に壁パネルを取り付ける際には、壁パネルと躯体との間に形成される空間よりも広い空間において、壁パネル取付け部に壁パネルを取り付けることが可能となる。
【発明の効果】
【００１９】
本発明によれば、躯体取付け部を躯体に取り付ける際に、躯体側取付け孔に挿通するビス等の固定部品を、壁パネルの表面側から躯体側取付け孔へ挿通することが可能となるため、躯体へ壁パネルを取り付ける際の作業効率を向上させることが可能となる。
【図面の簡単な説明】
【００２０】
【図１】本発明の第一実施形態の取付けブラケットを用いて、建築物の躯体に複数の壁パネルを取り付けた状態を示す図である。
【図２】図１のＩＩ線矢視図である。
【図３】本発明の第一実施形態の取付けブラケットの構成を示す図である。
【図４】図３のＩＶ線矢視図である。
【図５】本発明の第一実施形態の変形例を示す図であり、図５（ａ）は、取付けブラケットを壁パネルの表面側から見た図、図５（ｂ）は、図５（ａ）のＢ線矢視図、図５（ｃ）は、図５（ａ）のＣ線矢視図である。
【図６】本発明の第一実施形態の変形例を示す図であり、図６（ａ）は、取付けブラケットを壁パネルの表面側から見た図、図６（ｂ）は、図６（ａ）のＢ線矢視図、図６（ｃ）は、図６（ａ）のＣ線矢視図である。
【図７】本発明の第一実施形態の変形例を示す図であり、図７（ａ）は、取付けブラケットを壁パネルの表面側から見た図、図７（ｂ）は、図７（ａ）のＢ線矢視図、図７（ｃ）は、図７（ａ）のＣ線矢視図である。
【図８】本発明の第一実施形態の変形例を示す図であり、図８（ａ）は、取付けブラケットを壁パネルの表面側から見た図、図８（ｂ）は、図８（ａ）のＢ線矢視図、図８（ｃ）は、図８（ａ）のＣ線矢視図である。
【図９】本発明の第二実施形態の取付けブラケットの構成を示す図である。
【図１０】本発明の第三実施形態の取付けブラケットを用いて、躯体に壁パネルを取り付けた状態を示す図である。
【図１１】本発明の第三実施形態の取付けブラケットの構成を示す図であり、図１１（ａ）は、取付けブラケットを壁パネルの表面側から見た図、図１１（ｂ）は、図１１（ａ）のＢ線矢視図、図１１（ｃ）は、図１１（ａ）のＣ線矢視図である。
【図１２】本発明の第三実施形態の変形例を示す図である。
【図１３】本発明の第四実施形態の取付けブラケットの構成を示す図である。
【図１４】従来例の取付けブラケットを用いて躯体に壁パネルを取り付けた状態を示す図である。
【図１５】図１４のＡ−Ａ線断面図である。
【発明を実施するための形態】
【００２１】
以下、本発明の実施形態について図面を参照しつつ説明する。
（第一実施形態）
（構成）
まず、図１から図４を用いて、本実施形態の構成を説明する。
図１は、本実施形態の取付けブラケット１を用いて、建築物の躯体２に複数の壁パネル４を取り付けた状態を示す図であり、図２は、図１のＩＩ線矢視図である。また、図３は、取付けブラケット１の詳細な構成を示す図であり、図４は、図３のＩＶ線矢視図である。
【００２２】
なお、本実施形態では、躯体２を、住宅の外壁等を形成する外部躯体とし、壁パネル４を、住宅の外壁に取り付ける外壁パネルとした場合を例にあげて説明する。
なお、図１中では、躯体２に取り付けた複数の壁パネル４のうち、隣り合う二枚の壁パネル４ａ，４ｂを示しており、以下の説明では、この壁パネル４ａ，４ｂを躯体２に取り付ける取付けブラケット１について記載する。また、以下の説明では、必要に応じて、壁パネル４ａを躯体２に取り付ける取付けブラケット１を、取付けブラケット１ａと記載し、壁パネル４ｂを躯体２に取り付ける取付けブラケット１を、取付けブラケット１ｂと記載する。
【００２３】
躯体２の外側面には、防水シートの接着や防水塗料の塗装等により、防水面（図示せず）が設けられている。また、躯体２の内部には、木材等によって構成された芯材６が配置されている。
壁パネル４は、例えば、気泡コンクリート等を用いて形成され、耐火性を有する板状部材となっており、その裏面には、後述するボルト８が嵌合するナット１０が複数個埋め込まれている。なお、以下の説明では、必要に応じて、壁パネル４ａに埋め込まれているナット１０を、ナット１０ａと記載し、壁パネル４ｂに埋め込まれているナット１０を、ナット１０ｂと記載する。また、以下の説明では、必要に応じて、ナット１０ａに嵌合するボルト８を、ボルト８ａと記載し、ナット１０ｂに嵌合するボルト８を、ボルト８ｂと記載する。
【００２４】
ナット１０は、壁パネル４の重量等、壁パネル４及びナット１０に、通常の状態で加わる負荷によって、壁パネル４の裏面からナット１０が外れることが無く、取付けブラケット１から壁パネル４が外れることの無い位置に埋め込まれている。壁パネル４の裏面において、ナット１０が埋め込まれる位置としては、例えば、壁パネル４の端部から、６５ｍｍの位置が設定される。また、壁パネル４ａ，４ｂは、共に、同じ位置に複数個のナット１０ａ，１０ｂが埋め込まれている。
【００２５】
図１から図４中に示すように、本実施形態の取付けブラケット１は、壁パネル取付け部１２と、躯体取付け部１４と、曲げ変形抑制部１６とを備えている。なお、以下の説明においては、必要に応じて、取付けブラケット１ａが備えている壁パネル取付け部１２、躯体取付け部１４及び曲げ変形抑制部１６を、それぞれ、壁パネル取付け部１２ａ、躯体取付け部１４ａ及び曲げ変形抑制部１６ａと記載する。同様に、取付けブラケット１ｂが備えている壁パネル取付け部１２、躯体取付け部１４及び曲げ変形抑制部１６を、壁パネル取付け部１２ｂ、躯体取付け部１４ｂ及び曲げ変形抑制部１６ｂと記載する。
【００２６】
壁パネル取付け部１２及び躯体取付け部１４は、共に躯体２と平行をなしており、ステンレス製の平板を屈曲成形して形成されている。
壁パネル取付け部１２は、壁パネル４の裏面に当接して取り付けられている。また、壁パネル取付け部１２には、壁パネル４を取り付けるための壁パネル側取付け孔１８が形成されている。なお、以下の説明においては、必要に応じて、壁パネル取付け部１２ａに形成されている壁パネル側取付け孔１８を、壁パネル側取付け孔１８ａと記載し、壁パネル取付け部１２ｂに形成されている壁パネル側取付け孔１８を、壁パネル側取付け孔１８ｂと記載する。
【００２７】
壁パネル側取付け孔１８は、壁パネル取付け部１２の中心付近に配置されており、隣り合う二枚の壁パネル４ａ，４ｂの配列方向、すなわち、壁パネル４の左右方向へ延在する長孔形状に形成されている。
躯体取付け部１４は、壁パネル取付け部１２に対して壁パネル４の厚さ方向へオフセットして配置されるとともに、躯体２に当接して取り付けられている。
躯体取付け部１４の、壁パネル取付け部１２に対する壁パネル４の厚さ方向へのオフセット量は、壁パネル４と躯体２との間に、例えば、グラスウール等の断熱材を配置するための隙間２０が形成されるオフセット量となっている。
【００２８】
また、躯体取付け部１４の一部は、張出し部２２に設定されている。なお、以下の説明においては、必要に応じて、躯体取付け部１４ａに形成されている張出し部２２を、張出し部２２ａと記載し、躯体取付け部１４ｂに形成されている張出し部２２を、張出し部２２ｂと記載する。
張出し部２２ａは、壁パネル４ａの、隣り合う壁パネル４、すなわち、壁パネル４ｂと対向する端部２４から張り出している。なお、以下の説明においては、必要に応じて、壁パネル４ａの、壁パネル４ｂと対向する端部２４を、端部２４ａと記載する。
張出し部２２ｂは、壁パネル４ｂの、隣り合う壁パネル４、すなわち、壁パネル４ａと対向する端部２４から張り出している。なお、以下の説明においては、必要に応じて、壁パネル４ｂの、壁パネル４ａと対向する端部２４を、端部２４ｂと記載する。
【００２９】
張出し部２２の、端部２４と平行な寸法長さＬ１は、壁パネル取付け部１２の、端部２４と平行な寸法長さＬ２よりも短く形成されている。これにより、取付けブラケット１は、壁パネル４の表面側から見て、Ｌ字形状に形成されている。
また、張出し部２２の、端部２４と平行な寸法長さＬ１と、壁パネル取付け部１２の、端部２４と平行な寸法長さＬ２は、Ｌ１≦Ｌ２／２の関係式を満足している。
張出し部２２における壁パネル４の表面側から見て視認可能な位置には、躯体側取付け孔２６が形成されており、この躯体側取付け孔２６は、壁パネル４の表面側から見て、躯体２内に配置された芯材６と重なっている。なお、以下の説明においては、必要に応じて、張出し部２２ａに形成されている躯体側取付け孔２６を、躯体側取付け孔２６ａと記載し、張出し部２２ｂに形成されている躯体側取付け孔２６を、躯体側取付け孔２６ｂと記載する。
【００３０】
躯体側取付け孔２６は、躯体取付け部１４、具体的には、張出し部２２を躯体２へ取り付けるための孔であり、壁パネル側取付け孔１８と同様、壁パネル４の左右方向へ延在する長孔形状に形成されている。
躯体側取付け孔２６ａ，２６ｂは、張出し部２２ａ，２２ｂにおいて、躯体側取付け孔２６ａと躯体側取付け孔２６ｂが、端部２４の長さ方向から見て互いに重なった状態で、躯体側取付け孔２６ａ，２６ｂ同士の間隔が所定の間隔以上となる位置に形成されている。
【００３１】
ここで、「所定の間隔」とは、躯体側取付け孔２６ａ，２６ｂにそれぞれ挿通される固定部品２８によって、芯材６に損傷が生じ、固定部品２８が芯材６から外れることの無い間隔であり、取付けブラケット１が躯体２から外れることの無い間隔である。「所定の間隔」としては、例えば、５０ｍｍ程度の間隔が設定される。なお、本実施形態では、固定部品２８をステンレス製のビスとする。
曲げ変形抑制部１６は、壁パネル側変形抑制部３０と、躯体側変形抑制部３２とを備えている。なお、以下の説明においては、必要に応じて、曲げ変形抑制部１６ａに形成されている壁パネル側変形抑制部３０及び躯体側変形抑制部３２を、それぞれ、壁パネル側変形抑制部３０ａ及び躯体側変形抑制部３２ａと記載する。同様に、曲げ変形抑制部１６ｂに形成されている壁パネル側変形抑制部３０及び躯体側変形抑制部３２を、それぞれ、壁パネル側変形抑制部３０ｂ及び躯体側変形抑制部３２ｂと記載する。
【００３２】
壁パネル側変形抑制部３０は、平板の一部を、その厚さ方向に突出するように成形して形成されており、壁パネル取付け部１２の曲げ変形を抑制する形状に形成されている。
具体的には、壁パネル取付け部１２と躯体取付け部１４との間に配置されて、壁パネル取付け部１２と躯体取付け部１４とを連結する中間部３４を、中間部３４の厚さ方向へ突出するように成形している。また、壁パネル取付け部１２の中間部３４側の一部を、壁パネル取付け部１２の厚さ方向へ突出するように成形している。そして、中間部３４に成形した突出部分と、壁パネル取付け部１２の中間部３４側の一部に成形した突出部分とを連続させて、壁パネル側変形抑制部３０を形成している。なお、以下の説明においては、必要に応じて、壁パネル取付け部１２ａと躯体取付け部１４ａとを連結する中間部３４を、中間部３４ａと記載し、壁パネル取付け部１２ｂと躯体取付け部１４ｂとを連結する中間部３４を、中間部３４ｂと記載する。
【００３３】
これにより、壁パネル取付け部１２の一部と中間部３４との間にリブが形成されることとなり、このリブによって、壁パネル取付け部１２の、中間部３４及び躯体取付け部１４に対する曲げ変形が抑制される。
躯体側変形抑制部３２は、壁パネル側変形抑制部３０と同様、平板の一部を、その厚さ方向に突出するように成形して形成されており、躯体取付け部１４の曲げ変形を抑制する形状に形成されている。
【００３４】
具体的には、中間部３４を、中間部３４の厚さ方向へ突出するように成形し、躯体取付け部１４の中間部３４側の一部を、躯体取付け部１４の厚さ方向へ突出するように成形している。そして、中間部３４に成形した突出部分と、躯体取付け部１４の中間部３４側の一部に成形した突出部分とを連続させて、躯体側変形抑制部３２を形成している。
これにより、躯体取付け部１４の一部と中間部３４との間にリブが形成されることとなり、このリブによって、躯体取付け部１４の、中間部３４及び壁パネル取付け部１２に対する曲げ変形が抑制される。
【００３５】
（作用）
次に、図１から図４を参照しつつ、上記の構成を備えた取付けブラケット１の作用等を説明する。
上述した取付けブラケット１ａ，１ｂを用いて、躯体２に壁パネル４ａ，４ｂを取り付ける作業は、例えば、以下の手順に沿って行う。
まず、壁パネル取付け部１２ａを壁パネル４ａの裏面に当接させるとともに、ナット１０ａに、壁パネル側取付け孔１８ａを挿通させたボルト８ａを嵌合させて、壁パネル取付け部１２ａに壁パネル４ａを取り付ける。
【００３６】
このとき、壁パネル側取付け孔１８ａは、壁パネル４ａの左右方向へ延在する長孔形状に形成されているため、ナット１０ａと壁パネル側取付け孔１８ａとの間に、壁パネル４ａの左右方向への取付け精度のずれが発生している場合であっても、このずれを吸収することが可能となっている。
壁パネル取付け部１２ａに壁パネル４ａを取り付けると、壁パネル側変形抑制部３０ａにより、壁パネル取付け部１２ａの、中間部３４ａ及び躯体取付け部１４ａに対する曲げ変形が抑制される。
また、壁パネル取付け部１２ａに壁パネル４ａを取り付ける際には、壁パネル４の表面側から見て、張出し部２２ａが取付けブラケット１ａの上端側に配置されるように、壁パネル取付け部１２ａに壁パネル４ａを取り付ける。
【００３７】
次に、壁パネル取付け部１２ｂを壁パネル４ｂの裏面に当接させるとともに、ナット１０ｂに、壁パネル側取付け孔１８ｂを挿通させたボルト８ｂを嵌合させて、壁パネル取付け部１２ｂに壁パネル４ｂを取り付ける。
このとき、壁パネル側取付け孔１８ｂは、壁パネル４ｂの左右方向へ延在する長孔形状に形成されているため、ナット１０ｂと壁パネル側取付け孔１８ｂとの間に、壁パネル４ｂの左右方向への取付け精度のずれが発生している場合であっても、このずれを吸収することが可能となっている。
壁パネル取付け部１２ｂに壁パネル４ｂを取り付けると、壁パネル側変形抑制部３０ｂにより、壁パネル取付け部１２ｂの、中間部３４ｂ及び躯体取付け部１４ｂに対する曲げ変形が抑制される。
【００３８】
また、壁パネル取付け部１２ｂに壁パネル４ｂを取り付ける際には、壁パネル４の表面側から見て、張出し部２２ｂが取付けブラケット１ｂの下端側に配置されるように、壁パネル取付け部１２ｂに壁パネル４ｂを取り付ける。
このとき、取付けブラケット１は、壁パネル４の表面側から見て、Ｌ字形状に形成されている。また、壁パネル４の表面側から見て、張出し部２２ａが取付けブラケット１ａの上端側に配置されるとともに、張出し部２２ｂが取付けブラケット１ｂの下端側に配置されるように、壁パネル取付け部１２ａ，１２ｂに壁パネル４ａ，４ｂを取り付けている。
このため、取付けブラケット１ａと取付けブラケット１ｂは、互いに１８０度回転させた状態で、壁パネル４ａ，４ｂに取り付けられている。
【００３９】
壁パネル取付け部１２ａに壁パネル４ａを取り付け、壁パネル取付け部１２ｂに壁パネル４ｂを取り付けた後、取付けブラケット１ａを、躯体側取付け孔２６ａが壁パネル４の表面側から見て芯材６と重なる位置に配置する。
そして、壁パネル４の表面側から、躯体側取付け孔２６ａに、固定部品２８を挿通させ、この挿通させた固定部品２８の先端側を芯材６内へねじ込むことにより、躯体取付け部１４ａを躯体２に取り付けて、壁パネル４ａを躯体２に取り付ける。
躯体取付け部１４ａを躯体２に取り付けると、躯体側変形抑制部３２ａにより、躯体取付け部１４ａの、中間部３４ａ及び躯体取付け部１４ａに対する曲げ変形が抑制される。
【００４０】
また、躯体取付け部１４ａは、壁パネル取付け部１２ａに対して壁パネル４ａの厚さ方向へオフセットしているため、躯体取付け部１４ａを躯体２に取り付けると、壁パネル４ａと躯体２との間に隙間２０が形成される。
このとき、躯体側取付け孔２６ａは、壁パネル４ａの左右方向へ延在する長孔形状に形成されているため、躯体２と躯体側取付け孔２６ａとの間に、壁パネル４ａの左右方向への取付け精度のずれが発生している場合であっても、このずれを吸収することが可能となっている。
【００４１】
壁パネル４ａを躯体２に取り付けた後、取付けブラケット１ｂを、躯体側取付け孔２６ｂが壁パネル４の表面側から見て芯材６と重なるとともに、躯体側取付け孔２６ａと躯体側取付け孔２６ｂが、端部２４の長さ方向から見て互いに重なり、且つ躯体側取付け孔２６ａ，２６ｂ同士の間隔が所定の間隔以上となるように配置する。
このとき、張出し部２２の、端部２４と平行な寸法長さＬ１と、壁パネル取付け部１２の、端部２４と平行な寸法長さＬ２は、Ｌ１≦Ｌ２／２の関係式を満足しており、取付けブラケット１ａと取付けブラケット１ｂは、互いに１８０度回転させた状態となっている。
【００４２】
このため、取付けブラケット１ｂを上述した位置に配置すると、躯体取付け部１４ａのうち、張出し部２２ａが形成されていない部分によって形成される空間に、張出し部２２ｂが配置されて、取付けブラケット１ａと取付けブラケット１ｂとの、端部２４の長さ方向に沿った位置が、壁パネル４の表面側から見て同じ高さとなる。すなわち、張出し部２２ａが、壁パネル４ａ，４ｂの配列方向から見て、壁パネル取付け部１２ｂと、互いに重なった状態で配置される。
そして、壁パネル４の表面側から、躯体側取付け孔２６ｂに固定部品２８を挿通させ、この挿通させた固定部品２８の先端側を芯材６内へねじ込むことにより、躯体取付け部１４ｂを躯体２に取り付けて、壁パネル４ｂを躯体２に取り付け、躯体２に壁パネル４ａ，４ｂを取り付ける作業を終了する。
【００４３】
躯体取付け部１４ｂを躯体２に取り付けると、躯体側変形抑制部３２ｂにより、躯体取付け部１４ｂの、中間部３４ｂ及び躯体取付け部１４ｂに対する曲げ変形が抑制される。
また、躯体取付け部１４ｂは、壁パネル取付け部１２ｂに対して壁パネル４ｂの厚さ方向へオフセットしているため、躯体取付け部１４ｂを躯体２に取り付けると、壁パネル４ｂと躯体２との間に隙間２０が形成される。
このとき、躯体側取付け孔２６ｂは、壁パネル４ｂの左右方向へ延在する長孔形状に形成されているため、躯体２と躯体側取付け孔２６ａとの間に、壁パネル４ｂの左右方向への取付け精度のずれが発生している場合であっても、このずれを吸収することが可能となっている。
【００４４】
なお、上述した作業手順では、壁パネル取付け部１２ａに壁パネル４ａを取り付けた後に、壁パネル取付け部１２ｂに壁パネル４ｂを取り付けているが、これに限定されるものではなく、壁パネル取付け部１２ｂに壁パネル４ｂを取り付けた後に、壁パネル取付け部１２ａに壁パネル４ａを取り付けてもよい。
同様に、壁パネル４ａを躯体２に取り付けた後に、壁パネル４ｂを躯体２に取り付けているが、これに限定されるものではなく、壁パネル４ｂを躯体２に取り付けた後に、壁パネル４ａを躯体２に取り付けてもよい。
【００４５】
（第一実施形態の効果）
以下、本実施形態の取付けブラケット１、取付けブラケット１を用いた壁パネル４の取付け構造及び取付け方法の効果を列挙する。
（１）本実施形態の取付けブラケット１であれば、張出し部２２における、壁パネル４の表面側から見て視認可能な位置に、壁パネル４を躯体２へ取り付けるための躯体側取付け孔２６を形成している。
このため、躯体取付け部１４を躯体２へ取付ける際に躯体側取付け孔２６に挿通させる固定部品２８を、壁パネル４の表面側から躯体側取付け孔２６へ挿通させることが可能となる。
その結果、躯体取付け部１４を躯体２へ取付ける際の、作業効率を向上させることが可能となり、躯体２へ壁パネル４を取り付ける際の、作業効率を向上させることが可能となる。
【００４６】
（２）本実施形態の取付けブラケット１であれば、壁パネル取付け部１２及び躯付け部１４を、平板を屈曲成形して形成しているため、取付けブラケット１の成形が容易かつ安価となる。
その結果、取付けブラケット１の製造コストを低減することが可能となるとともに、取付けブラケット１の製造工程を簡略化することが可能となる。
（３）本実施形態の取付けブラケット１であれば、取付けブラケット１を、ステンレス製の平板を用いて形成しているため、躯体２の外側面に形成された防水面よりも外側に配置される取付けブラケット１に、錆が発生することを抑制することが可能となる。
その結果、取付けブラケット１の耐久性を向上させることが可能となり、躯体２に対する壁パネル４の取り付け状態を、長期間に亘って維持することが可能となる。
【００４７】
（４）本実施形態の取付けブラケット１であれば、取付けブラケット１を、壁パネル４の表面側から見てＬ字形状に形成している。
このため、隣り合う壁パネル４ａ，４ｂを躯体２へ取り付ける際に、張出し部２２ａを、隣り合う壁パネル４ａ，４ｂの配列方向から見て、壁パネル取付け部１２ｂと、互いに重なった状態で配置することが可能となる。
その結果、取付けブラケット１ａと取付けブラケット１ｂを、互いに１８０度回転させた状態で、隣り合う壁パネル４ａ，４ｂを躯体２へ取り付けることが可能となり、取付けブラケット１ａ，１ｂ同士の位置決めを行うことが可能となる。
【００４８】
（５）本実施形態の取付けブラケット１であれば、張出し部２２の、端部２４と平行な寸法長さＬ１と、壁パネル取付け部１２の、端部２４と平行な寸法長さＬ２が、Ｌ１≦Ｌ２／２の関係式を満足している。
その結果、取付けブラケット１ａと取付けブラケット１ｂを、左右及び上下対称の状態で配置することが可能となり、取付けブラケット１ａ，１ｂ同士の位置決めが容易となる。
（６）本実施形態の取付けブラケット１であれば、曲げ変形抑制部１６が、壁パネル側変形抑制部３０と、躯体側変形抑制部３２とを備えている。
その結果、躯体２への壁パネル４の取付け状態を安定させることが可能となる。
【００４９】
（７）本実施形態の取付けブラケット１であれば、壁パネル取付け部１２の曲げ変形を抑制する壁パネル側変形抑制部３０を備えているため、壁パネル取付け部１２の、中間部３４及び躯体取付け部１４に対する曲げ変形が抑制される。
その結果、壁パネル４への取付けブラケット１の取付け状態を安定させることが可能となる。
（８）本実施形態の取付けブラケット１であれば、躯体取付け部１４の曲げ変形を抑制する躯体側変形抑制部３２を備えているため、躯体取付け部１４の、中間部３４及び壁パネル取付け部１２に対する曲げ変形が抑制される。
その結果、取付けブラケット１の躯体２への取付け状態を安定させることが可能となる。
【００５０】
（９）本実施形態の取付けブラケット１であれば、曲げ変形抑制部１６を、平板の一部を厚さ方向に突出するように成形して形成しているため、曲げ変形抑制部１６を容易に形成することが可能となる。
その結果、取付けブラケット１の製造コストの低減及び製造工程の簡略化が可能となるとともに、躯体２への壁パネル４の取付け状態を安定させることが可能となる。
（１０）本実施形態の取付けブラケット１であれば、壁パネル側取付け孔１８及び躯体側取付け孔２６を、壁パネル４の左右方向へ延在する長孔形状に形成している。
このため、壁パネル側取付け孔１８と壁パネル４との間や、躯体側取付け孔２６と躯体２との間に、壁パネル４の左右方向への取付け精度のずれが発生しても、このずれを吸収することが可能となる。
その結果、躯体２への壁パネル４の取付け精度を向上させることが可能となる。
【００５１】
（１１）本実施形態の取付けブラケット１を用いた壁パネル４の取付け構造であれば、取付けブラケット１ａ，１ｂを、躯体側取付け孔２６ａ，２６ｂ同士が、端部２４の長さ方向から見て互いに重なり、且つ互いの間隔が所定の間隔以上となるように配置している。
その結果、躯体側取付け孔２６ａ，２６ｂに挿通される固定部品２８同士の間隔が、所定の間隔以上となり、固定部品２８が躯体２から外れることを防止することが可能となるため、躯体２から取付けブラケット１が外れることを防止することが可能となる。
【００５２】
（１２）本実施形態の取付けブラケット１を用いた壁パネル４の取付け方法であれば、取付けブラケット１を用いて躯体２に壁パネル４を取り付ける際に、壁パネル取付け部１２に壁パネル４を取り付けた後、躯体取付け部１４を躯体２に取り付けている。
このため、壁パネル取付け部１２に壁パネル４を取り付ける際には、ナット１０に嵌合するボルト８を、壁パネル４と躯体２との間に形成される空間よりも広い空間において、壁パネル側取付け孔１８を挿通させることが可能となる。
その結果、壁パネル取付け部１２に壁パネル４を取付ける際の、作業効率を向上させることが可能となり、躯体２へ壁パネル４を取り付ける際の、作業効率を向上させることが可能となる。
【００５３】
（応用例）
以下、本実施形態の取付けブラケット１、取付けブラケット１を用いた壁パネル４の取付け構造及び取付け方法の応用例を列挙する。
（１）本実施形態の取付けブラケット１、取付けブラケット１を用いた壁パネル４の取付け構造及び取付け方法では、躯体２を、住宅の外壁等を形成する外部躯体とし、壁パネル４を、住宅の外壁に取り付ける外壁パネルとしたが、これに限定するものではない。すなわち、躯体２を、住宅の内壁等を形成する内部躯体とし、壁パネル４を、住宅の内壁に取り付ける内壁パネルとしてもよい。
【００５４】
（２）本実施形態の取付けブラケット１では、壁パネル取付け部１２及び躯体取付け部１４を、平板を屈曲成形して形成しているが、これに限定されるものではなく、壁パネル取付け部１２及び躯体取付け部１４を、例えば、鋳造成形によって形成してもよい。もっとも、本実施形態のように、壁パネル取付け部１２及び躯体取付け部１４を、平板を屈曲成形して形成することが、取付けブラケット１の成形が容易かつ安価となるため、好適である。
（３）本実施形態の取付けブラケット１では、ステンレスによって取付けブラケット１を形成しているが、これに限定されるものではなく、取付けブラケット１を、例えば、炭素鋼等、ステンレス以外の材料を用いて形成してもよい。もっとも、本実施形態のように、ステンレスによって取付けブラケット１を形成することが、取付けブラケット１に、錆が発生することを抑制することが可能となるため、好適である。
【００５５】
（４）本実施形態の取付けブラケット１では、取付けブラケット１を、壁パネル４の表面側から見てＬ字形状に形成しているが、これに限定されるものではなく、取付けブラケット１を、例えば、壁パネル４の表面側から見て四角形状に形成してもよい。もっとも、本実施形態のように、取付けブラケット１を、壁パネル４の表面側から見てＬ字形状に形成することが、取付けブラケット１ａと取付けブラケット１ｂを、互いに１８０度回転させた状態で、隣り合う壁パネル４ａ，４ｂを躯体２へ取り付けることが可能となるため、好適である。
【００５６】
（５）本実施形態の取付けブラケット１では、張出し部２２の、端部２４と平行な寸法長さＬ１と、壁パネル取付け部１２の、端部２４と平行な寸法長さＬ２が、Ｌ１≦Ｌ２／２の関係式を満足しているが、これに限定されるものではない。すなわち、寸法長さＬ１と寸法長さＬ２が、例えば、Ｌ１＜Ｌ２の関係式を満足していてもよく、Ｌ１＞Ｌ２の関係式を満足していてもよい。もっとも、本実施形態のように、寸法長さＬ１と寸法長さＬ２が、Ｌ１≦Ｌ２／２の関係式を満足していることが、取付けブラケット１ａと取付けブラケット１ｂを、左右及び上下対称の状態で配置することが可能となるため、好適である。
【００５７】
（６）本実施形態の取付けブラケット１では、曲げ変形抑制部１６が、壁パネル側変形抑制部３０と、躯体側変形抑制部３２とを備えているが、これに限定されるものではなく、曲げ変形抑制部１６が、壁パネル側変形抑制部３０及び躯体側変形抑制部３２のうち一方のみを備えている構成としてもよい。もっとも、本実施形態のように、曲げ変形抑制部１６が、壁パネル側変形抑制部３０及び躯体側変形抑制部３２を備えている構成とすることが、躯体２への壁パネル４の取付け状態を安定させることが可能となるため、好適である。
【００５８】
また、本実施形態の取付けブラケット１では、壁パネル取付け部１２の曲げ変形を抑制する壁パネル側変形抑制部３０を備えているが、これに限定されるものではなく、壁パネル側変形抑制部３０を備えていない構成としてもよい。もっとも、本実施形態のように、壁パネル側変形抑制部３０を備えている構成とすることが、壁パネル取付け部１２の、中間部３４及び躯体取付け部１４に対する曲げ変形が抑制されるため、好適である。
（７）本実施形態の取付けブラケット１では、躯体取付け部１４の曲げ変形を抑制する躯体側変形抑制部３２を備えているが、これに限定されるものではなく、躯体側変形抑制部３２を備えていない構成としてもよい。もっとも、本実施形態のように、躯体側変形抑制部３２を備えた構成とすることが、躯体取付け部１４の、中間部３４及び壁パネル取付け部１２に対する曲げ変形が抑制されるため、好適である。
【００５９】
（８）本実施形態の取付けブラケット１では、壁パネル側変形抑制部３０を、中間部３４に成形した突出部分と、壁パネル取付け部１２の中間部３４側の一部に成形した突出部分とを連続させて形成しているが、これに限定されるものではない。すなわち、壁パネル側変形抑制部３０を、例えば、図５に示すように、中間部３４に成形した突出部分と、壁パネル取付け部１２の全体に亘って成形した突出部分とを連続させて形成してもよい。この場合、壁パネル側取付け孔１８を、壁パネル取付け部１２の全体に亘って成形した突出部分と異なる位置に形成する。また、躯体側変形抑制部３２に関しても、同様である。なお、図５は、本実施形態の変形例を示す図であり、図５（ａ）は、取付けブラケット１を壁パネル４の表面側から見た図、図５（ｂ）は、図５（ａ）のＢ線矢視図、図５（ｃ）は、図５（ａ）のＣ線矢視図である。
【００６０】
（９）本実施形態の取付けブラケット１では、曲げ変形抑制部１６を、平板の一部を厚さ方向に突出するように成形して形成しているが、これに限定されるものではなく、曲げ変形抑制部１６を、例えば、図６から図８に示すように、平板の一部を折り曲げて形成してもよい。
具体的には、図６に示すように、躯体側変形抑制部３２を、躯体取付け部１４の一辺を折り曲げて形成してもよい。なお、図６は、本実施形態の変形例を示す図であり、図６（ａ）は、取付けブラケット１を壁パネル４の表面側から見た図、図６（ｂ）は、図６（ａ）のＢ線矢視図、図６（ｃ）は、図６（ａ）のＣ線矢視図である。
【００６１】
また、図７に示すように、壁パネル側変形抑制部３０及び躯体側変形抑制部３２を、壁パネル取付け部１２及び躯体取付け部１４の一辺を折り曲げて形成してもよい。なお、図７は、本実施形態の変形例を示す図であり、図７（ａ）は、取付けブラケット１を壁パネル４の表面側から見た図、図７（ｂ）は、図７（ａ）のＢ線矢視図、図７（ｃ）は、図７（ａ）のＣ線矢視図である。
また、図８に示すように、壁パネル側変形抑制部３０及び躯体側変形抑制部３２を、壁パネル取付け部１２及び躯体取付け部１４の両辺を折り曲げて形成してもよい。なお、図８は、本実施形態の変形例を示す図であり、図８（ａ）は、取付けブラケット１を壁パネル４の表面側から見た図、図８（ｂ）は、図８（ａ）のＢ線矢視図、図８（ｃ）は、図８（ａ）のＣ線矢視図である。
【００６２】
（１０）本実施形態の取付けブラケット１では、壁パネル側取付け孔１８及び躯体側取付け孔２６を、壁パネル４の左右方向へ延在する長孔形状に形成しているが、これに限定されるものではなく、壁パネル側取付け孔１８及び躯体側取付け孔２６のうち一方を、壁パネル４の左右方向へ延在する長孔形状に形成してもよい。もっとも、本実施形態のように、壁パネル側取付け孔１８及び躯体側取付け孔２６を、壁パネル４の左右方向へ延在する長孔形状に形成することが、壁パネル側取付け孔１８と壁パネル４との間や、躯体側取付け孔２６と躯体２との間に、壁パネル４の左右方向への取付け精度のずれが発生しても、このずれを吸収することが可能となるため、好適である。
【００６３】
（１１）本実施形態の取付けブラケット１では、壁パネル側取付け孔１８及び躯体側取付け孔２６を、壁パネル４の左右方向へ延在する長孔形状に形成しているが、これに限定されるものではなく、壁パネル側取付け孔１８及び躯体側取付け孔２６を、壁パネル４の上下方向へ延在する長孔形状に形成してもよい。
（１２）本実施形態の取付けブラケット１では、壁パネル側取付け孔１８及び躯体側取付け孔２６を長孔形状に形成しているが、これに限定されるものではなく、壁パネル側取付け孔１８及び躯体側取付け孔２６を、円形状に形成してもよい。もっとも、本実施形態のように、壁パネル側取付け孔１８及び躯体側取付け孔２６を長孔形状に形成することが、躯体２への壁パネル４の取付け制度を向上させることが可能となるため、好適である。
【００６４】
（１３）本実施形態の取付けブラケット１では、取付けブラケット１ａ，１ｂを、躯体側取付け孔２６ａ，２６ｂ同士が、端部２４の長さ方向から見て互いに重なり、且つ互いの間隔が所定の間隔以上となるように配置しているが、これに限定されるものではない。すなわち、例えば、取付けブラケット１ａ，１ｂを、躯体側取付け孔２６ａ，２６ｂの間隔が所定の間隔未満となるように配置してもよい。もっとも、本実施形態のように、取付けブラケット１ａ，１ｂを、躯体側取付け孔２６ａ，２６ｂの間隔が所定の間隔以上となるように配置することが、固定部品２８が躯体２から外れることを防止することが可能となるため、好適である。
【００６５】
（１４）本実施形態の取付けブラケット１を用いた壁パネル４の取付け方法では、壁パネル取付け部１２に壁パネル４を取り付けた後に、躯体取付け部１４を躯体２に取り付けているが、これに限定されるものではない。すなわち、躯体取付け部１４を躯体２に取り付けた後に、壁パネル取付け部１２に壁パネル４を取り付けてもよい。もっとも、本実施形態のように、壁パネル取付け部１２に壁パネル４を取り付けた後に、躯体取付け部１４を躯体２に取り付けることが、壁パネル取付け部１２に壁パネル４を取付ける際の、作業効率を向上させることが可能となるため、好適である。
【００６６】
（第二実施形態）
以下、本発明の第二実施形態（以下、「本実施形態」と記載する）について、図面を参照しつつ説明する。
（構成）
まず、図９を用いて、本実施形態の取付けブラケット１の構成を説明する。
図９は、本実施形態の取付けブラケット１の構成を示す図である。
図９中に示すように、本実施形態の取付けブラケット１は、壁パネル（図示せず）、壁パネル側取付け孔１８及び躯体側取付け孔２６の構成を除き、上述した第一実施形態と同様の構成となっている。なお、壁パネル、壁パネル側取付け孔１８及び躯体側取付け孔２６以外の構成は、上述した第一実施形態と同様の構成となっているため、説明は省略する。
【００６７】
壁パネルの裏面には、壁パネルの端部の長さ方向に沿って、二つのナットが埋め込まれている。
壁パネル側取付け孔１８は、二つ形成されており、これらは、壁パネルの端部の長さ方向に沿って配置され、二つのナットと対応する位置に形成されている。なお、図９中では、二つの壁パネル側取付け孔１８のうち、上側に配置されている壁パネル側取付け孔１８を、壁パネル側取付け孔１８ｕと記載し、下側に配置されている壁パネル側取付け孔１８を、壁パネル側取付け孔１８ｄと記載している。
【００６８】
躯体側取付け孔２６は、壁パネル側取付け孔１８と同様、二つ形成されており、これらは、壁パネルの端部の長さ方向に沿って配置されている。なお、図９中では、二つの躯体側取付け孔２６のうち、上側に配置されている躯体側取付け孔２６を、躯体側取付け孔２６ｕと記載し、下側に配置されている躯体側取付け孔２６を、躯体側取付け孔２６ｄと記載している。
その他の構成は、上述した第一実施形態と同様である。
【００６９】
（作用）
次に、図９を参照しつつ、上記の構成を備えた取付けブラケット１の作用等を説明する。なお、以下の説明では、壁パネル、壁パネル側取付け孔１８及び躯体側取付け孔２６以外の構成については、上述した第一実施形態と同様であるため、異なる部分を中心に説明する。
上述した取付けブラケット１を用いて、躯体に壁パネルを取り付ける作業においては、まず、二つのナットに、それぞれ、壁パネル側取付け孔１８ｕ，１８ｄを挿通させたボルト（図示せず）を嵌合させて、壁パネル取付け部１２に壁パネルを取り付ける。
このとき、二つのナットは、壁パネルの端部の長さ方向に沿って埋め込まれている。また、壁パネル側取付け孔１８ｕ，１８ｄは、壁パネルの端部の長さ方向に沿って配置され、それぞれ、二つのナットと対応する位置に形成されている。
【００７０】
このため、二つのナットに、それぞれ、壁パネル側取付け孔１８ｕ，１８ｄを挿通させたボルトを嵌合させて、壁パネル取付け部１２に壁パネルを取り付けると、壁パネルと壁パネル取付け部１２との相対回転が防止される。
壁パネル取付け部１２に壁パネルを取り付けた後、取付けブラケット１を、躯体側取付け孔２６ｕ，２６ｄが壁パネルの表面側から見て芯材と重なる位置に配置する。
そして、壁パネル４の表面側から、躯体側取付け孔２６ｕまたは躯体側取付け孔２６ｄに、固定部品を挿通させ、この挿通させた固定部品の先端側を芯材内へねじ込むことにより、躯体取付け部１４を躯体に取り付けて、壁パネルを躯体に取り付ける。
ここで、固定部品により芯材が損傷した場合等、躯体取付け部１４の躯体への取付け状態が好適ではない場合には、躯体側取付け孔２６ｕまたは躯体側取付け孔２６ｄのうち、固定部品を挿通させていない側の躯体側取付け孔２６に固定部品を挿通させて、躯体取付け部１４を躯体に取り付ける。
【００７１】
なお、一方の取付けブラケット１において、例えば、躯体側取付け孔２６ｄを用いて、躯体取付け部１４を躯体に取り付けた場合には、他方の取付けブラケット１においても、躯体側取付け孔２６ｄを用いて、躯体取付け部１４を躯体に取り付ける。そして、躯体取付け部１４の躯体への取り付けに用いた躯体側取付け孔２６同士（この場合、躯体側取付け孔２６ｄ同士）の間隔を、所定の間隔以上とする。
なお、上述した作業手順では、躯体側取付け孔２６ｕまたは躯体側取付け孔２６ｄのうち一方を用いて、躯体取付け部１４を躯体に取り付けているが、これに限定されるものではない。すなわち、固定部品により芯材が損傷するおそれが無い場合には、躯体側取付け孔２６ｕ及び躯体側取付け孔２６ｄを用いて、躯体取付け部１４を躯体に取り付けてもよい。
【００７２】
（第二実施形態の効果）
以下、本実施形態の取付けブラケット１の効果を列挙する。
（１）本実施形態の取付けブラケット１では、壁パネルの裏面に埋め込まれた二つのナットが、壁パネルの端部の長さ方向に沿って配置されている。また、壁パネル側取付け孔１８ｕ，１８ｄが、壁パネルの端部の長さ方向に沿って配置されており、それぞれ、二つのナットと対応する位置に形成されている。
【００７３】
このため、二つのナットに、それぞれ、壁パネル側取付け孔１８ｕ，１８ｄを挿通させたボルトを嵌合させて、壁パネル取付け部１２に壁パネルを取り付けることにより、壁パネルと壁パネル取付け部１２との相対回転を防止することが可能となる。
その結果、壁パネル取付け部１２の壁パネルへの取り付け状態を安定させることが可能となり、壁パネルへの取付けブラケット１の取付け状態を安定させることが可能となるため、躯体への壁パネルの取付け状態を安定させることが可能となる。
【００７４】
（２）本実施形態の取付けブラケット１では、躯体側取付け孔２６ｕ，２６ｄが、壁パネルの端部の長さ方向に沿って配置されている。
このため、固定部品により芯材が損傷した場合等、躯体取付け部１４の躯体への取付け状態が好適ではない場合には、躯体側取付け孔２６ｕまたは躯体側取付け孔２６ｄのうち、固定部品を挿通させていない側の躯体側取付け孔２６に固定部品を挿通させて、躯体取付け部１４を躯体に取り付けることが可能となる。
その結果、躯体取付け部１４の躯体への取り付け状態を安定させることが可能となり、壁パネルへの取付けブラケット１の取付け状態を安定させることが可能となるため、躯体への壁パネルの取付け状態を安定させることが可能となる。
その他の効果は、上述した第一実施形態と同様である。
【００７５】
（応用例）
以下、本実施形態の取付けブラケット１の応用例を列挙する。
（１）本実施形態の取付けブラケット１では、壁パネル側取付け孔１８及び躯体側取付け孔２６を、それぞれ、二つ形成したが、これに限定されるものではなく、壁パネル側取付け孔１８及び躯体側取付け孔２６を、それぞれ、三つ以上形成してもよい。要は、壁パネル側取付け孔１８及び躯体側取付け孔２６を、複数形成すればよい。
（２）本実施形態の取付けブラケット１では、壁パネル側取付け孔１８及び躯体側取付け孔２６を、それぞれ、二つ形成したが、これに限定されるものではなく、壁パネル側取付け孔１８及び躯体側取付け孔２６のうち少なくとも一方を、複数形成すればよい。
【００７６】
（第三実施形態）
以下、本発明の第三実施形態（以下、「本実施形態」と記載する）について、図面を参照しつつ説明する。
（構成）
まず、図１０及び図１１を用いて、本実施形態の取付けブラケット１の構成を説明する。
図１０は、本実施形態の取付けブラケット１を用いて、躯体２に壁パネル４を取り付けた状態を示す図である。また、図１１は、取付けブラケット１の詳細な構成を示す図であり、図１１（ａ）は、取付けブラケット１を壁パネル４の表面側から見た図、図１１（ｂ）は、図１１（ａ）のＢ線矢視図、図１１（ｃ）は、図１１（ａ）のＣ線矢視図である。
【００７７】
図１０及び図１１中に示すように、本実施形態の取付けブラケット１は、躯体側取付け孔２６の構成を除き、上述した第一実施形態と同様の構成となっている。なお、躯体側取付け孔２６以外の構成は、上述した第一実施形態と同様の構成となっているため、説明は省略する。
躯体側取付け孔２６は、張出し部２２の一部に形成された、壁パネル取付け部１２よりも躯体２側へオフセットしているオフセット部３６に形成されており、オフセット部３６を、壁パネル４の厚さ方向に貫通している。
すなわち、躯体側取付け孔２６は、躯体取付け部１４のうち、躯体２に当接する当接部分３８よりも、壁パネル４の表面側にオフセットして配置されている。
【００７８】
オフセット部３６は、固定部品２８の基端側に形成され、且つ躯体側取付け孔２６よりも大径の頭部４０が、張出し部２２よりも壁パネル４の表面側へ突出しない形状に形成されている。
当接部分３８には、躯体側取付け孔２６に挿通された固定部品２８の先端側が挿通される当接部分側開口部４２が形成されている。
その他の構成は、上述した第一実施形態と同様である。
【００７９】
（作用）
次に、図１０及び図１１を参照しつつ、上記の構成を備えた取付けブラケット１の作用等を説明する。なお、以下の説明では、躯体側取付け孔２６以外の構成については、上述した第一実施形態と同様であるため、異なる部分を中心に説明する。
上述した取付けブラケット１を用いて、躯体２に壁パネル４を取り付ける作業においては、まず、壁パネル取付け部１２に壁パネル４を取り付ける。
壁パネル取付け部１２に壁パネル４を取り付けた後、取付けブラケット１を、当接部分３８が躯体２に当接するとともに、躯体側取付け孔２６が壁パネル４の表面側から見て芯材６と重なる位置に配置する。
【００８０】
そして、躯体側取付け孔２６に固定部品２８を挿通させ、躯体側取付け孔２６に挿通させた固定部品２８の先端側を、当接部分側開口部４２へ挿通させる。そして、壁パネル４の表面側から、当接部分側開口部４２に挿通させた固定部品２８の先端側を芯材６内へねじ込むことにより、躯体取付け部１４を躯体２に取り付けて、壁パネル４を躯体２に取り付ける。
ここで、躯体側取付け孔２６は、当接部分３８よりも、壁パネル４の表面側にオフセットして配置されている。
このため、躯体側取付け孔２６に固定部品２８を挿通させる際に用いるドライバー等の作業工具から、躯体側取付け孔２６内に配置した固定部品２８が外れた場合であっても、この固定部品２８の先端側を芯材６内へねじ込む作業を、再び、作業工具によって行うことが容易となる。
【００８１】
（第三実施形態の効果）
以下、本実施形態の取付けブラケット１の効果を記載する。
（１）本実施形態の取付けブラケット１では、躯体側取付け孔２６を、躯体取付け部１４のうち、躯体２に当接する当接部分３８よりも、壁パネル４の表面側にオフセットして配置している。
このため、躯体側取付け孔２６が、当接部分３８に配置されている場合と比較して、躯体側取付け孔２６に挿通される固定部品２８を用いた作業が容易となり、躯体取付け部１４の躯体への取り付け状態が容易となる。
その結果、取付けブラケット１の躯体２への取付け作業が容易となるため、躯体２への壁パネル４の取付け作業が容易となる。
その他の効果は、上述した第一実施形態と同様である。
【００８２】
（応用例）
以下、本実施形態の取付けブラケット１の応用例を記載する。
（１）本実施形態の取付けブラケット１では、躯体側取付け孔２６を、壁パネル取付け部１２よりも躯体２側へオフセットしている構成としたが、これに限定されるものではない。すなわち、例えば、図１２に示すように、躯体側取付け孔２６を、壁パネル取付け部１２よりも壁パネル４の表面側にオフセットしている構成としてもよい。要は、躯体側取付け孔２６は、当接部分３８よりも壁パネル４の表面側にオフセットして配置されていればよい。なお、図１２は、本実施形態の変形例を示す図である。
【００８３】
（第四実施形態）
以下、本発明の第四実施形態（以下、「本実施形態」と記載する）について、図面を参照しつつ説明する。
（構成）
まず、図１３を用いて、本実施形態の取付けブラケット１の構成を説明する。
図１３は、本実施形態の取付けブラケット１の構成を示す図である。
図１３中に示すように、本実施形態の取付けブラケット１は、二つの壁パネル取付け部１２を備えている点を除き、上述した第一実施形態と同様の構成となっている。なお、二つの壁パネル取付け部１２を備えている点以外の構成は、上述した第一実施形態と同様の構成となっているため、説明は省略する。なお、以下の説明においては、必要に応じて、二つの壁パネル取付け部１２のうち、図１３中の左側に記載されている壁パネル取付け部１２を、壁パネル取付け部１２Ｌと示し、図１３中の右側に記載されている壁パネル取付け部１２を、壁パネル取付け部１２Ｒと示す。
【００８４】
壁パネル取付け部１２Ｌは、隣り合う二つの壁パネルのうち、一方の壁パネルの裏面に当接して取り付けられており、一方の壁パネルを取り付けるための壁パネル側取付け孔１８が形成されている。なお、以下の説明においては、必要に応じて、壁パネル取付け部１２Ｌに形成されている壁パネル側取付け孔１８を、壁パネル側取付け孔１８Ｌと示す。
壁パネル取付け部１２Ｒは、隣り合う二つの壁パネルのうち、他方の壁パネルの裏面に当接して取り付けられており、他方の壁パネルを取り付けるための壁パネル側取付け孔１８が形成されている。なお、以下の説明においては、必要に応じて、壁パネル取付け部１２Ｒに形成されている壁パネル側取付け孔１８を、壁パネル側取付け孔１８Ｒと示す。
躯体取付け部１４は、壁パネル取付け部１２Ｌと壁パネル取付け部１２Ｒとの間に配置され、壁パネル取付け部１２Ｌと壁パネル取付け部１２Ｒとを連結している。
その他の構成は、上述した第一実施形態と同様である。
【００８５】
（作用）
次に、図１３を参照しつつ、上記の構成を備えた取付けブラケット１の作用等を説明する。なお、以下の説明では、二つの壁パネル取付け部１２Ｌ，１２Ｒを備えている点以外の構成については、上述した第一実施形態と同様であるため、異なる部分を中心に説明する。
上述した取付けブラケット１を用いて、躯体に壁パネルを取り付ける作業においては、まず、隣り合う二つの壁パネルのうち、一方の壁パネルを壁パネル取付け部１２Ｌに取り付け、他方の壁パネルを壁パネル取付け部１２Ｒに取り付ける。この状態では、一つの取付けブラケット１に、隣り合う二つの壁パネルが取り付けられている状態となる。
【００８６】
隣り合う二つの壁パネルを、それぞれ、壁パネル取付け部１２Ｌ，１２Ｒに取り付けた後、取付けブラケット１を、躯体側取付け孔２６が壁パネルの表面側から見て芯材と重なる位置に配置する。
そして、壁パネル４の表面側から、躯体側取付け孔２６に、固定部品を挿通させ、この挿通させた固定部品の先端側を芯材内へねじ込むことにより、躯体取付け部１４を躯体に取り付けて、壁パネルを躯体に取り付ける。
このとき、壁パネル取付け部１２Ｌ，１２Ｒには、それぞれ、隣り合う二つの壁パネルが取り付けられているため、躯体取付け部１４を躯体に取り付けることにより、一つの取付けブラケット１によって、隣り合う二つの壁パネルを、同時に躯体に取り付けることが可能となる。
【００８７】
（第四実施形態の効果）
以下、本実施形態の取付けブラケット１の効果を記載する。
（１）本実施形態の取付けブラケット１では、隣り合う壁パネルにそれぞれ取り付けられる二つの壁パネル取付け部１２Ｌ，１２Ｒと、壁パネル取付け部１２Ｌ，１２Ｒの間に配置される一つの躯体取付け部１４とを備えている。
このため、壁パネル取付け部１２Ｌ，１２Ｒには、それぞれ、隣り合う二つの壁パネルが取り付けた状態で、躯体取付け部１４を躯体に取り付けることにより、一つの取付けブラケット１によって、隣り合う二つの壁パネルを、同時に躯体に取り付けることが可能となる。
その結果、隣り合う二つの壁パネルを躯体に取り付ける際に、作業時間を短縮することが可能となり、躯体へ壁パネルを取り付ける際の作業効率を向上させることが可能となる。
その他の作用・効果等は、上述した第一実施形態と同様である。
【符号の説明】
【００８８】
１    取付けブラケット
２    躯体（外部躯体）
４    壁パネル（外壁パネル）
６    芯材
８    ボルト
１０  ナット
１２  壁パネル取付け部
１４  躯体取付け部
１６  曲げ変形抑制部
１８  壁パネル側取付け孔
２０  隙間
２２  張出し部
２４  壁パネルの端部
２６  躯体側取付け孔
２８  固定部品
３０  壁パネル側変形抑制部
３２  躯体側変形抑制部
３４  中間部
３６  オフセット部
３８  当接部分
４０  固定部品の頭部
４２  当接部分側開口部
４４  第一取付け部材
４６  第二取付け部材
４８  締結手段
５０  壁パネルの枠側面
Ｌ１  壁パネルの端部と平行な張出し部の寸法長さ
Ｌ２  壁パネルの端部と平行な壁パネル取付け部の寸法長さ
【図１】
2010180668.tif 000003
【図２】
2010180668.tif 000004
【図３】
2010180668.tif 000005
【図４】
2010180668.tif 000006
【図５】
2010180668.tif 000007
【図６】
2010180668.tif 000008
【図７】
2010180668.tif 000009
【図８】
2010180668.tif 000010
【図９】
2010180668.tif 000011
【図１０】
2010180668.tif 000012
【図１１】
2010180668.tif 000013
【図１２】
2010180668.tif 000014
【図１３】
2010180668.tif 000015
【図１４】
2010180668.tif 000016
【図１５】
2010180668.tif 000017